(57)【要約】【課題】廃棄物溶融処理設備の燃焼室において、油焚きバーナのバーナポート内でのクリンカー生成を防止できる燃焼室を提供する。【解決手段】廃棄物溶融炉からの排ガスを燃焼させる、廃棄物溶融処理設備の排ガス処理系の、油焚きバーナが配置された燃焼室１において、（１）燃焼室内でダストを随伴して旋回する燃焼ガスの旋回方向上流側の、バーナポート３の壁を、燃焼室１の中央に向けて延長してダストを遮蔽するダスト遮蔽壁４を形成する、（２）バーナポート内に向けて冷却用空気を吹き込む空気吹き込み管９を配置する、（３）バーナポートの周囲の耐火物内に冷却空気などの冷却媒体を流す冷却配管１０を埋設する、（４）前記（１）〜（３）を組み合わせる。【選択図】図１
2005090869.tif 000002
【特許請求の範囲】
【請求項１】
廃棄物溶融炉からの排ガスを燃焼させる、廃棄物溶融処理設備の排ガス処理系の、油焚きバーナが配置された燃焼室において、燃焼室内でダストを随伴して旋回する燃焼ガスの旋回方向上流側の、バーナポートの壁を、燃焼室の中央に向けて延長してダストを遮蔽するダスト遮蔽壁が形成されていることを特徴とする廃棄物溶融処理設備の燃焼室。
【請求項２】
廃棄物溶融炉からの排ガスを燃焼させる、廃棄物溶融処理設備の排ガス処理系の、油焚きバーナが配置された燃焼室において、バーナポート内に向けて冷却用空気を吹き込む空気吹き込み管が配置されていることを特徴とする廃棄物溶融処理設備の燃焼室。
【請求項３】
廃棄物溶融炉からの排ガスを燃焼させる、廃棄物溶融処理設備の排ガス処理系の、油焚きバーナが配置された燃焼室において、バーナポートの周囲の耐火物内に冷却空気などの冷却媒体を流す冷却配管が埋設されていることを特徴とする廃棄物溶融処理設備の燃焼室。
【請求項４】
バーナポート内に向けて冷却用空気を吹き込む空気吹き込み管が配置されていることを特徴とする請求項１記載の廃棄物溶融処理設備の燃焼室。
【請求項５】
バーナポートの周囲の耐火物内に冷却空気などの冷却媒体を流す冷却配管が埋設されていることを特徴とする請求項１記載の廃棄物溶融処理設備の燃焼室。
【請求項６】
バーナポートの周囲の耐火物内に冷却空気などの冷却媒体を流す冷却配管が埋設されていることを特徴とする請求項２記載の廃棄物溶融処理設備の燃焼室。
【請求項７】
燃焼室内でダストを随伴して旋回する燃焼ガスの旋回方向上流側の、バーナポートの壁を、燃焼室の中央に向けて延長してダストを遮蔽するダスト遮蔽壁が形成されていることを特徴とする請求項６記載の廃棄物溶融処理設備の燃焼室。
【発明の詳細な説明】
【技術分野】
【０００１】
本発明は、一般廃棄物、産業廃棄物などの廃棄物を溶融処理する廃棄物溶融処理設備の排ガス処理系に配置されている燃焼室の油焚きバーナのバーナポート内でのクリンカー生成防止に関する。
【背景技術】
【０００２】
一般廃棄物、産業廃棄物等の廃棄物の処理方法の一つとして、シャフト炉型の廃棄物溶融炉で廃棄物を乾燥、熱分解、燃焼、溶融して、スラグとメタルにする廃棄物溶融処理がある。
【０００３】
図３は廃棄物溶融処理設備のブロック図で、廃棄物溶融炉１１には、廃棄物が副資材であるコークス、石灰石とともに、炉上部から装入され、炉内で乾燥、熱分解、燃焼、溶融の過程を経て出滓口からはスラグとメタルが出湯される。
【０００４】
廃棄物中の可燃物は、一部が乾留されてガスとなって排出され、また一部は炉下部で羽口から吹き込まれた空気及び酸素によって燃焼するが、残りの可燃物は可燃性ダストとなって溶融炉の炉頂から排出されて排ガス処理系で処理される。
【０００５】
溶融炉の炉頂から排出される可燃性ダスト及び可燃性ガスを含む排ガスは、燃焼室１で燃焼させてボイラー１２で熱回収を行い、ボイラー１２で発生した蒸気は蒸気タービン・発電装置へ送られる。ボイラー１２の排ガスは、温度調整器１３を経て集じん装置１４で固気分離され、ブロワ１５により煙突１６から排出される（特許文献１参照）。
【０００６】
特許文献１には、廃棄物溶融炉から発生する多量のダスト類を含む生成ガスを燃焼処理する燃焼室におけるクリンカーの生成を防止するため、燃焼室の下部に、円周接線方向に向かう冷風ノズルを配置し、冷風ノズルから吹き出される冷風によって、燃焼室の内部壁の表面に冷却層を形成して、燃焼室の内部壁の表面に冷却層を形成しているので、溶融したダスト類も凝固し、この部分に溶融したダスト類が付着するのを防止でき、また内部壁面温度も低く保たれているので、付着しても容易に剥離し、結果としてクリンカーの発生が防止できることが記載されている。  
【特許文献１】特開平１０−１６９９６６号公報
【発明の開示】
【発明が解決しようとする課題】
【０００７】
特許文献１記載のクリンカーの発生防止方法では、燃焼室内の内部壁にクリンカーが生成するのを防止することはできる。しかしながら、油焚きバーナのバーナポート内には、次に述べるとおりクリンカーが生成していた。
【０００８】
図２（ａ）は燃焼室のバーナの配置を示す断面図、（ｂ）はバーナポートの断面図である。図２（ａ）において、燃焼室１の壁には、廃棄物溶融炉からの可燃ダストを含む排ガスを吹き込んで燃焼させるメインバーナ１８、起動時や追い焚きに使用する油焚きバーナ２、種火として使用するパイロットバーナ１９が円周方向に間隔をおいて配置されている。
【０００９】
図２（ｂ）において、燃焼室では、燃焼室内のダストが、燃焼ガスの旋回流に乗り、油焚きバーナ２のバーナポート３の内壁に堆積し、油焚きバーナ２の火炎８で炙られることによって溶融してクリンカー２０が生成する。クリンカー２０の生成により、油焚きバーナ２の火炎８が不安定な状態となり、局部的な高温部を作り、バーナポート３にダストが堆積、溶融することがあり、炉停止時にクリンカー除去の作業を必要とする場合があった。
【００１０】
そこで、本発明は、廃棄物溶融処理設備の燃焼室において、油焚きバーナのバーナポート内でのクリンカー生成を防止できる燃焼室を提供するものである。
【課題を解決するための手段】
【００１１】
本発明は、廃棄物溶融炉からの排ガスを燃焼させる、廃棄物溶融処理設備の排ガス処理系の、油焚きバーナが配置された燃焼室において、
（１）燃焼室内でダストを随伴して旋回する燃焼ガスの旋回方向上流側の、バーナポートの壁を、燃焼室の中央に向けて延長してダストを遮蔽するダスト遮蔽壁を形成する、（２）バーナポート内に向けて冷却用空気を吹き込む空気吹き込み管を配置する、（３）バーナポートの周囲の耐火物内に冷却空気などの冷却媒体を流す冷却配管を埋設する、（４）前記（１）〜（３）を組み合わせる、ことを特徴とする。
【発明の効果】
【００１２】
本発明により、クリンカの生成を防止することができ、廃棄物溶融設備の安定的な長期運転を実現することができる。
【００１３】
また、本発明によれば、クリンカの生成防止が簡単な構造によって安価に達成できる。
【発明を実施するための最良の形態】
【００１４】
本発明は、旋回流で随伴されてきたダストをバーナポートに至る前にダスト遮蔽壁を設けて遮蔽することにより、バーナポート内にダストが付着するのを防止できる。
【００１５】
また、バーナポート内に向けて冷却用空気を吹き込んだり、あるいはバーナポートの周囲を冷却することにより、バーナの火炎温度をダストの融点以下に下げ、ダストが溶融するのを防止できる。
【００１６】
以下、本発明の実施例について説明する。なお、本発明は実施例１〜３の他に、各実施例のダスト遮蔽壁、空気吹き込み管又は冷却配管を組み合わせることによってもバーナポート内でのクリンカーの生成を防止することができる。
【００１７】
実施例１
図１（ａ）は本発明の第１実施例を示すバーナポート部分の断面図である。燃焼室１では燃焼ガスの旋回流が形成されており、油焚きバーナ２のバーナポート３の、旋回流の上流側の壁を燃焼室１の中央に向けて延長してダスト遮蔽壁４を形成する。
【００１８】
旋回流で随伴されてきたダストは、バーナポート３の入口に至る前にダスト遮蔽壁４によって遮蔽されて、旋回流下流側のバーナポート３の内壁５に衝突することなくダスト遮蔽壁４に付着する。ダスト遮蔽壁４に付着したダスト６は、バーナポート３の外壁７なので、油焚きバーナ２の火炎８で炙られることがなくなるためにダストの溶融が起こらず、バーナポート３内でのクリンカの付着を防止でき、その結果、メンテナンスが不要となる。
【００１９】
実施例２
図１（ｂ）は本発明の第２実施例を示すバーナポート部分の断面図である。
【００２０】
バーナポート３内に向けて冷却用空気を吹き込む空気吹き込み管９を一対対向させて配置したものである。油焚きバーナ２のトータルの空気比が１．３〜１．８の範囲に収まるように設定する。
【００２１】
バーナポート３内に空気吹き込み管９から冷却用空気を吹き込んで油焚きバーナ２の火炎温度をダストの融点以下に下げてダストの溶融を防止することによって、クリンカーの生成を防ぐことができる。
【００２２】
実施例３
図１（ｃ）は本発明の第３実施例を示すバーナポート部分の断面図である。バーナポート３の周囲の耐火物内に冷却空気などの冷却媒体を流す冷却配管１０を埋設する。
【００２３】
バーナポート３の耐火物内に冷却配管１０を設けることによって、バーナポート部分回りの耐火物の壁面温度をダストの融点以下に下げてダストの溶融を防止することができる。
【産業上の利用可能性】
【００２４】
廃棄物溶融処理設備の排ガス処理系の燃焼室に利用できます。
【図面の簡単な説明】
【００２５】
【図１】本発明の実施例の断面図である。
【図２】（ａ）は燃焼室のバーナの配置を示す断面図、（ｂ）はバーナポートの断面図である。
【図３】廃棄物溶融処理設備のブロック図である。
【符号の説明】
【００２６】
１：燃焼室        ２：油焚きバーナ
３：バーナポート  ４：ダスト遮蔽壁
５：バーナポートの内壁  ６：付着したダスト
７：バーナポートの外壁  ８：火炎
９：空気吹き込み管    １０：冷却配管
１１：溶融炉            １２：ボイラ
１３：温度調整器        １４：集じん装置
１５：ブロワ            １７：煙突
１８：メインバーナ      １９：パイロットバーナ
２０：クリンカー
【図１】
2005090869.tif 000003
【図２】
2005090869.tif 000004
【図３】
2005090869.tif 000005